(57)【要約】【課題】電子メールを送信する際、受信者が興味を持ちうる関連情報を添付することで広告効果を高められるようにする。【解決手段】解析サーバーコンピューター１４に、アイコンなどの関連情報に対応して所定のキーワードを割り当てて記憶部２５に格納させておく記憶手段と、前記電子メールのメッセージに、前記記憶部２５に格納されているキーワードと合致する文字が含まれているか否かを解析する解析手段２３と、当該解析手段２３によってキーワードに合致する文字が含まれていた場合、当該キーワードに対応する関連情報を添付する添付手段２４と、当該添付手段２４によって関連情報を添付して受信者に電子メールを送信する送信手段とを備えるようにする。そして、メール受信者がそのメッセージに添付された関連情報であるアイコンを選択し押下することによって関連するホームページなどを表示させる。【選択図】図５
2008276355.tif 000002
【特許請求の範囲】
【請求項１】
電子的に記述されたメッセージに対応して広告情報を含む関連情報を表示させる関連情報表示システムにおいて、
電子的に記述されたメッセージの内容を解析する解析手段と、
当該解析手段による解析結果に基づいて前記メッセージの内容に関連する広告情報を含む関連情報を抽出する抽出手段と、
当該抽出手段によって抽出された関連情報を前記メッセージに対応して表示させる表示手段とを備たことを特徴とする関連情報表示システム。
【請求項２】
電子的に記述されたメッセージに対応して広告情報を含む関連情報を表示させる関連情報表示システムにおいて、
前記広告情報を含む関連情報に所定のキーワードを割り当てて記憶部に格納させておく記憶手段と、
前記メッセージ内に、前記記憶部に格納されているキーワードと合致する文字が含まれているか否かを解析する解析手段と、
当該解析手段によってキーワードに合致する文字が含まれている場合、当該キーワードに対応して記憶部に記憶されている関連情報を表示させる表示手段とを備えたことを特徴とする関連情報表示システム。
【請求項３】
電子的に記述されたメッセージに対応して広告情報を含む関連情報を表示させる関連情報表示システムにおいて、解析サーバーコンピューターに、前記記憶手段と解析手段を備えたことを特徴とする関連情報表示システム。
【請求項４】
前記関連情報が、インターネットに接続してホームページや各種情報を表示させるためのアイコンである請求項１から３いずれか１項に記載の関連情報表示システム。
【請求項５】
前記関連情報を表示する場合、キーワードに合致する文字をハイパーテキストで表示させ、当該ハイパーテキストが選択されることによって関連するホームページや各種情報を表示させるようにした請求項２から３いずれか１項に記載の関連情報表示システム。
【請求項６】
送信者側のクライアントコンピューターに前記表示手段を備えるようにした請求項１から５いずれか１項に記載の関連情報表示システム。
【発明の詳細な説明】
【技術分野】
【０００１】
本発明は、電子メールなどを使って広告や各種情報を表示させるようにした関連情報表示システムに関するものであり、より具体的には、電子メールの内容に即した広告などを表示するようにした関連情報表示システムに関するものである。
【背景技術】
【０００２】
一般に、ユーザーが携帯電話を用いてホームページを閲覧する際、携帯電話のディスプレイ画面上にメニュー画面を表示させ、カテゴリー別に分類された地域や店舗を順次選択するとともに、必要な場合はキーワードを用いて最終的に希望のホームページを表示させる。また、ノートパソコンやデスクトップパソコンなどのようにインターネットに接続することができるパーソナルコンピューターを用いてホームページを閲覧するときは、インターネットエクスプローラーなどのブラウザを起動させ、検索サイトに所定のキーワードを入力し、検索された結果一覧の中から希望のサイトを選択して、そのホームページを表示させる。
【０００３】
しかしながら、携帯電話やパーソナルコンピューターでホームページを閲覧する場合、携帯電話のメニュー画面の切り替え操作や、ブラウザの起動、あるいは、キーワードの入力操作が必要となり、画面切り替えやネットワーク接続のために多くの時間がかかってしまう。特に、携帯電話を用いてキーワードを入力する場合は、キーボード上の物理的な制約から、入力するための時間が長くかかってしまい、よほどの目的意識がない限りホームページを閲覧しようとしないのが現実である。
【０００４】
これに対応して、下記の特許文献１には、メニュー画面を切り替えたり、キーワードを入力したりする必要がなく、容易に企業の広告などのホームページを閲覧できるようにしたシステムが提案されている。
【０００５】
この特許文献１は、ユーザーに送信された電子メールに広告アイコンを添付することによって容易にその企業のホームページにアクセスできるようにしたものであって、具体的には、携帯電話で特定の相手並びに不特定の相手より電子メールで送信された内容を開く際に、ディスプレイにブランドの広告、町内や市内、最寄りの地域に合った広告や宣伝のためのアイコンを添付できるようにしたものである。
【０００６】
このようなシステムにすれば、携帯電話で広告のためのホームページを閲覧するために、わざわざインターネットのホームページアドレスやキーワードなどをキーで打ち込む必要がなくなり、簡単にそのアイコンを選択することでホームページにアクセスして広告情報を閲覧することができるようになる。
【特許文献１】特開２００５−３０１９５４号公報
【発明の開示】
【発明が解決しようとする課題】
【０００７】
しかしながら、このようなシステムでユーザーが電子メールを閲覧する場合、送信者や受信者の意思とは全く無関係の広告のアイコンが貼り付けられるため、受信者は電子メールを受け取ったとしてもこのような広告アイコンを押下しようとは思わない可能性が高い。
【０００８】
そこで、本発明は上記課題に着目してなされたもので、電子的に記述されたメッセージを送信する際、受信者などが興味を持ちうる関連情報を表示することでホームページなどを閲覧してもらえるようにし、ひいては、企業における宣伝広告効果を高められるようにした関連情報表示システムを提供することを目的とする。
【課題を解決するための手段】
【０００９】
すなわち、本発明は上記課題を解決するために、電子的に記述されたメッセージに対応して広告情報を含む関連情報を表示させる関連情報表示システムにおいて、電子的に記述されたメッセージの内容を解析する解析手段と、当該解析手段による解析結果に基づいて前記メッセージの内容に関連する広告情報を含む関連情報を抽出する抽出手段と、当該抽出手段によって抽出された関連情報を前記メッセージに対応して表示させる表示手段とを設けるようにしたものである。
【００１０】
そして、このような発明の一態様として、広告情報を含む関連情報に所定のキーワードを割り当てて記憶部に格納させておく記憶手段と、前記メッセージに、前記記憶部に格納されているキーワードと合致する文字が含まれているか否かを解析する解析手段と、当該解析手段によってキーワードに合致する文字が含まれている場合、当該キーワードに対応して記憶部に記憶されている関連情報を表示させる表示手段を備えるようにする。
【００１１】
このようにすれば、電子メールなどの内容に即した広告情報などを表示させることができ、受信者としても送信者と対話している興味ある内容と関連した情報を見ることができるようになる。これにより、情報提供者である広告主としても、自社の広告情報を見てもらう可能性が高くなり、宣伝広告効果を高めることができるようになる。なお、ここで、電子的に記述されるメッセージとは、チャットや電子メール、グリーティングカードなどによって送受信されるメッセージであり、また、不特定多数に向けて発信する場合は、掲示板への投稿されるメッセージなども含むものである。
【００１２】
そして、このような発明において、好ましくは、解析サーバーコンピューターに、前記記憶手段と解析手段を備えるようにする。
【００１３】
このようにすれば、例えば、表示させるべき広告情報などが増減した場合であっても、解析サーバーコンピューターでそれらの増減を一括して管理することができるため、常に新しい広告情報などを表示させることができるようになる。
【００１４】
また、電子的に記述されたメッセージに対応させて関連情報を表示させる場合、ホームページや各種情報を表示させるためのアイコンを表示させる。
【００１５】
このようにすれば、例えば、携帯電話で電子メールを受信する際は、その携帯電話にはアイコンのみが表示されるので、データーの受信量や通信料金などを減らすことができ、必要なときにのみ、そのアイコンを押下することでホームページなどを閲覧することができる。
【００１６】
また、別の一態様として、関連情報を表示する際、メッセージにおけるキーワードに対応した文字をハイパーテキストで表示させ、当該ハイパーテキストが押下されることでホームページなどを表示させるようにする。
【００１７】
このようにすれば、受信者が電子メールを受信する際、多くの文字などからなる広告情報を表示させる場合と比べて、受信時のデーター量を減らすことができる。
【００１８】
また、関連情報を表示させる場合、メッセージの送信者側にも表示させるようにする。
【００１９】
このようにすれば、受信者側だけでなく送信者側にも関連情報が表示されるので、企業の宣伝広告効果を高めることができるようになる。また、送信者側と受信者側に同じ関連情報を表示させるようにすれば、同じ関連情報をネタにして対話をすることができるようになる。
【発明の効果】
【００２０】
本発明によれば、メッセージの内容に即した広告情報などを表示させることができ、興味ある内容に関連した情報を閲覧させることができるようになる。これにより、情報提供者である広告主としても、自社の広告情報を閲覧してもらう可能性が高くなり、企業における宣伝広告効果を高めることができるようになる。
【発明を実施するための最良の形態】
【００２１】
以下、本発明の一実施の形態について図面を参照して説明する。図１は、この実施の形態における関連情報送信システム１の概要を示したものであり、図２は、その関連情報送信システム１を構築するためのクライアントコンピューター１１、１２や解析サーバーコンピューター１４の機能ブロック図を示したものである。
【００２２】
この実施の形態における関連情報送信システム１は、電子メールを送信する送信者側に設けられる第一クライアントコンピューター１１と、この第一クライアントコンピューター１１から送信された電子メールのメッセージの内容を解析し、その解析内容に即した関連情報を添付する解析サーバーコンピューター１４と、この解析サーバーコンピューター１４から送信された関連情報付きのメッセージを受信する受信者側に設けられる第二クライアントコンピューター１２とを備えてなる。そして、第二クライアントコンピューター１２で電子メールに対応して関連情報を表示させることにより、企業のホームページなどを閲覧させ、企業などの宣伝広告効果を高めることができるようにしたものである。以下、本実施の形態における関連情報送信システム１の内容について詳細に説明する。
【００２３】
まず、送信者や受信者側に設けられる第一クライアントコンピューター１１や第二クライアントコンピューター１２について説明すると、この第一クライアントコンピューター１１や第二クライアントコンピューター１２は、携帯電話やＰＨＳ、パーソナルコンピューター、ＰＤＡなどのように、ディスプレイやキーボード、通信デバイスなどのハードウェアを備えた装置によって構成されるもので、装置内部に設けられたＲＯＭ、ＲＡＭなどに記憶されたプログラムとＣＰＵの動作に基づいて後述する機能を実現する。なお、近年では、メール送受信機能を備えたテレビや固定電話、カーナビゲーションシステムなども存在するため、このような装置をクライアントコンピューターとして使用することもできる。
【００２４】
解析サーバーコンピューター１４は、送信者側の第一クライアントコンピューター１１から送信されてきた電子メールのメッセージを解析し、広告情報や気象情報、株価情報、為替情報などの関連情報を添付して受信者側の第二クライアントコンピューター１２に送信するもので、一台の解析サーバーコンピューター１４、あるいは、複数台の分散された解析サーバーコンピューター１４によって構成される。ここで、解析サーバーコンピューター１４を分散化させる場合は、この分散化された解析サーバーコンピューター１４が本実施の形態における解析サーバーコンピューター１４に対応する。この解析サーバーコンピューター１４も同様に、装置本体内に格納されたＲＯＭやＲＡＭなどに記憶されたプログラムとＣＰＵの動作によって次ぎに示す各機能を実現する。
【００２５】
まず、送信者側の第一クライアントコンピューター１１の機能について説明すると、第一クライアントコンピューター１１は、図２に示すように、電子メールを送信する際に必要となる各種情報を受け付ける送信情報入力手段２１と、その電子メールを送信する送信手段２２とを少なくとも備える。
【００２６】
この送信情報入力手段２１は、電子メールの送信先、タイトル、メール本文（以下、タイトルとメール本文をまとめて「メッセージ」と称する）などの入力を受け付ける。この送信情報入力手段２１によって電子メール送信のための情報を受け付ける場合は、キーボードの操作によってメール送信のためのプログラムを起動させ、図３に示すように、送信先「Ｔｏ」のメールアドレスの入力を受け付ける。このとき、アドレス帳を開いて所望のメールアドレスの入力を受け付けるようにしてもよく、あるいは、キーボードによる直接入力によってメールアドレスを受け付けるようにしてもよい。また、タイトル欄や本文記入欄にはテキストなどの文字が入力される。これらのタイトル欄や本文記入欄へは、テキストだけでなく、第二クライアントコンピューター１２で表示することが可能な絵文字などが入力される。ここで「絵文字」とは、テキストを組み合わせた絵文字であってもよく、あるいは、全角一文字相当の小さな画像であってもよい。
【００２７】
送信手段２２は、ユーザーによって入力された電子メールを解析サーバーコンピューター１４に送信する。この電子メールを解析サーバーコンピューター１４へ送信する際は、まず、ＳＭＴＰサーバー１３に電子メールを送信し、そこからメッセージを解析するための解析サーバーコンピューター１４に電子メールを送信する。なお、ここではＳＭＴＰサーバー１３を介して電子メールを送信する場合について説明するが、解析処理の機能をＳＭＴＰサーバー１３に持たせるようにしてもよい。
【００２８】
解析サーバーコンピューター１４では、解析手段２３によってメッセージの内容を解析する。このメッセージの内容を解析する方法の一態様について説明すると、解析サーバーコンピューター１４は、まず、電子メールに添付される関連情報に対応してキーワードをあらかじめ設定しておき、これを解析サーバーコンピューター１４の記憶部２５に格納しておく。このとき、例えば、図４に示すように、旅行業者の関連情報に対しては「旅行」というキーワードを割り当てて記憶させておき、また、これ以外に、「中国へ行きたい」などのフレーズなども記憶させておく。また、このような広告情報だけでなく、例えば、天気情報などのように単なる情報を提供する場合は、天気情報（例えば、気象庁のホームページやそのアイコンなど）に対応して「天気」や「晴れ」などのキーワードを割り当てて記憶させておく。この広告以外の情報としては、これ以外に、株価情報、為替情報、ニュース、テレビ番組表などが挙げられる。また、このように短い単語からなるキーワードを記憶させておくだけでは、「いい天気ですね」という単なる挨拶の状態と、「明日天気なら」という本当に天気を気にしている状態とを区別することができないため、「天気なら」というフレーズでキーワードを記憶させておくこともできる。図４では、その他に、テニスメーカーの広告などに対応して「テニス」というキーワードを記憶させ、また、これ以外に「ラケット」などの他のキーワードも記憶させるようにしている。さらに、このようなテキストだけではなく、企業の広告情報や各種情報に対応して絵文字などを記憶させておくようにする。この絵文字を記憶させておく場合、例えば、テニスメーカーの広告に対して、テニスラケットの絵文字や、その絵文字に対応した識別情報などを記憶させておく。
【００２９】
次に、解析手段２３は電子メールからメッセージを抽出し、そのメッセージの文章を形態素解析する。ここで、形態素解析とは、これ以上分解すると意味がなくなってしまう程度にまで細かく文章を分解する解析手法をいい、例えば、「ChaSen」「Cabocha」「JSplitter」「Sen」「MeCab」などの形態素解析プログラムなどによって解析される手法をいう。このような形態素解析を用いれば、例えば、「もし、明日晴れたら」という文章は、「もし」「、」「明日」「晴れ」「た」「ら」の文字列に分解される。そして、この形態素解析によって分解された文字列に対応するキーワードや、あるいは、隣接する文字を連結したフレーズがキーワードとして記憶部２５に記憶されているか否かを判断する。図３に示されるメール本文には、「もし、明日晴れたらテニスしませんか？」という文章が記載されているため、これを形態素解析することによって「もし」「、」「明日」「晴れ」「た」「ら」「テニス」「し」「ま」「せん」「か」「？」という文字列に分解される。そして、メッセージ中の各文字列がキーワードとして記憶部２５に記憶されている場合はその関連情報を抽出し、また、その文字列に隣接する複数の文字列がフレーズとして記憶部２５に記憶されている場合は、それに対応する関連情報を抽出する。ここでは、「晴れ」「た」「ら」というフレーズが「天気情報」の関連情報に対応しており、また、「テニス」という文字列が「テニスメーカー」の関連情報に対応しているため、これらの天気情報やテニスメーカーに対応する関連情報を抽出する。ここで、天気情報やテニスメーカーの関連情報が記憶部２５に複数記憶されている場合は、ランダムに一又は所定数の関連情報を抽出する。
【００３０】
なお、このメッセージにテキストや絵文字が混在している場合は、形態素解析に先立ってテキストと絵文字を分離し、テキストのみについて形態素解析を行う。そして、絵文字については、その絵文字に対応した関連情報を抽出する。具体的には、図３のメール本文に示すように、「テニス」の横にラケットの絵文字が付加されている場合は、その絵文字の識別情報に対応した「テニスメーカー」の関連情報を抽出する。このとき、形態素解析による抽出情報と重複している場合は、一の関連情報を抽出する。
【００３１】
添付手段２４は、このように抽出された関連情報を電子メールに添付する。ここで関連情報を電子メールに添付する場合、ホームページや各種情報を表示させるためのアイコンを添付する。しかし、このようなアイコンを添付するのでなく、そのホームページや各種情報そのものを添付させるようにしてもよい。また、メール本文が非常に長い場合は、添付される関連情報も増えてしまう可能性もある。このとき、すべての関連情報を添付したのでは、関連情報が多くなってしまい、メール受信者に不快感を与えてしまう可能性がある。そこで、好ましくは、関連情報を添付するための上限値を決めておき、さらに、最も多くヒットしたキーワードに対応する関連情報を抽出するようにしてもよい。このようにすれば、メールの受信者に不快感を与えることなく、しかも、メールの話題の中心となっている可能性の高い関連情報を厳選して添付することができるようになる。
【００３２】
一方、このように関連情報を添付する場合、アイコンやホームページを添付するのではなく、テキストや絵文字に対応する文字をハイパーテキストで表示するようにしてもよい。そして、そのハイパーテキストで表示されたメッセージ中の文字が押下されることによって企業の広告情報や各種情報を表示させるようにすることもできる。このような表示形態としては、例えば、メッセージ中において対応するキーワードの色やフォントを変えることなどが考えられる。このような表示形態でメッセージを表示させれば、アイコンを表示させる場合などと比べて電子メールの表示量を少なくすることができる。
【００３３】
そして、このように添付手段２４によって関連情報を添付した電子メールをＰＯＰサーバー１５に送信するとともに、そのＰＯＰサーバー１５から受信者の第二クライアントコンピューター１２に送信する。
【００３４】
第二クライアントコンピューター１２は、受信手段２６を介してこの関連情報付き電子メールを受信し、一旦これを図示しない記憶部に格納させる。
【００３５】
そして、第二クライアントコンピューター１２のメール表示手段２７は、メールソフトを起動させることによって、図５に示すように「メール送信者、タイトル、メール本文、関連情報のアイコン」などを表示させる。一方、関連情報表示手段２８は、メッセージの内容に対応したアイコンの選択と押下によってブラウザを起動し、そのアイコンに対応したホームページや各種情報を表示させる。これにより、ディスプレイには、メッセージの内容に密接に関連したホームページや各種情報を表示させることができるようになる。ここでは、図３のメールに対応して、明日の天気予報を表示させるための情報や、テニスメーカーのホームページなどを表示させるようにしている。
【００３６】
次に、このように構成された関連情報表示システムにおける処理の流れについて図６のフローチャートを用いて説明する。
【００３７】
まず、電子メールを第三者に送信する場合、送信者は第一クライアントコンピューター１１のメールプログラムを起動させ、送信先のメールアドレスやメッセージの入力を行う（ステップＳ１）。そして、送信ボタンの押下を受け付けることによって、その電子メールをＳＭＴＰサーバー１３へ送信する（ステップＳ２）。
【００３８】
ＳＭＴＰサーバー１３は、その電子メールを受信すると、その電子メールを解析サーバーコンピューター１４に送信する。そして、解析サーバーコンピューター１４では、その電子メールを受信すると（ステップＴ１）、電子メール中のメッセージを抽出し（ステップＴ２）、その抽出されたメッセージをテキストと絵文字に分離する（ステップＴ３）。そして、テキストについては形態素解析によって最小単位の文字列に分割し、その文字列もしくは隣接する文字列を結合したフレーズがキーワードとして記憶部２５に記憶されているか否かを判断する（ステップＴ４）。そして、その文字列やフレーズが記憶部２５のキーワードと一致する場合は、そのキーワードに対応した関連情報を抽出する（ステップＴ５）。また、絵文字についても同様に、その絵文字に対応する関連情報を抽出する（ステップＴ６）。このとき、複数の関連情報が抽出された場合は、あらかじめ既定された数（例えば、３つ）以下の関連情報に絞り込むべく、最も多くヒットしたキーワードに対応する関連情報を抽出し、その関連情報をアイコンとして電子メールに添付する（ステップＴ７）。そして、その関連情報を添付した電子メールをＰＯＰサーバー１５を介して受信者の第二クライアントコンピューター１２に送信する（ステップＴ８）。
【００３９】
第二クライアントコンピューター１２は、この電子メールを受信すると（ステップＵ１）、メールの閲覧操作が行われることによってメールプログラムを起動させ、送信者名やメッセージとともに関連情報のアイコンをディスプレイに表示させる。そして、受信者によってそのアイコンが押下されることにより（ステップＵ２）、ブラウザを起動させるとともにインターネットに接続し、そのアイコンに対応したホームページや各種情報をディスプレイに表示させる（ステップＵ３）。
【００４０】
このように上記実施の形態によれば、広告のためのアイコンに対応して所定のキーワードを割り当てて記憶部２５に格納させておき、メッセージにそのキーワードと合致する文字が含まれている場合は、そのキーワードに対応する関連情報を表示させるようにしたので、対話内容と関連する広告情報を見ることができるようになる。また、広告主としても、自社の広告情報を見てもらう可能性が高くなり、宣伝広告の効果を高めることができるようになる。さらに、上記実施の形態では、解析サーバーコンピューター１４で関連情報を添付するようにしたので、広告情報としてのアイコンが増減・変更された場合であっても、一括してこれを管理することができ、常に最新のアイコンを添付することができるようになる。
【００４１】
なお、上記実施の形態では、解析サーバーコンピューター１４で解析処理や関連情報の添付の処理を行うようにしたが、これを送信者側の第一クライアントコンピューター１１で行うようにすることもできる。この場合、図２における解析手段２３や記憶部２５、添付手段２４は第一クライアントコンピューター１１に設けられるようになる。以下に、添付処理などを第一クライアントコンピューター１１で行う場合について説明する。
【００４２】
第一クライアントコンピューター１１で関連情報を添付する場合、図７に示すように、まず、メールプログラムを起動させて、送信先やタイトル、メール本文の入力を受け付ける（ステップＳ１１）。そして、この実施の形態では、図８に示すように「関連情報の添付」というボタンを設けておき、これに対応して「ＯＫ」のボタンが押下されることによって（ステップＳ１２）、メッセージの内容を解析する（ステップＳ１３）。この解析処理においては、上記実施の形態と同様にメッセージをテキストと絵文字に分離し、テキストについては形態素解析を行い、各文字列に合致するキーワードが存在するか否かを検索して対応する関連情報を添付する（ステップＳ１４）。また、絵文字についても、その絵文字に対応する関連情報を添付する。そして、このように抽出された関連情報を添付して表示し（ステップＳ１５）、送信者に関連情報のアイコンの取捨選択を受け付ける（ステップＳ１６）。このアイコンの取捨選択を受け付ける場合、該当するアイコンの選択を受け付け、所望のキーに割り当てられた「削除」のボタンが押下されることによってそのアイコンを削除する。そして、送信ボタンが押下されることによって関連情報付きの電子メールを送信する（ステップＳ１７）。
【００４３】
このようにすれば、送信者側で関連情報を取捨選択することができるので、不要な関連情報のみを削除して本当に関係している関連情報のみを添付して送信することができる。しかも、送信者も関連情報を閲覧することができるので、広告主側としても広告情報を見てもらうことで、より宣伝宣伝広告の効果を上げることができる。
【００４４】
なお、上記実施の形態においては、メッセージを形態素解析して各文字列やフレーズに合致するキーワードを検索するようにしたが、次のような方法を採用することもできる。すなわち、まず、関連情報に対応付けて記憶部に記憶されているキーワードを順次一つずつ抽出し、そのキーワードがメッセージに含まれているか否かを検索する。そして、メッセージにそのキーワードが含まれている場合は、そのキーワードに対応した関連情報を抽出して添付するようにする。
【００４５】
さらに、上記実施の形態において、、受信者などによる関連情報の閲覧履歴を収集し、これをもとにメール送受信のための課金に減額処理を施すようにしてもよい。このような方法としては、例えば、関連情報に固有の識別情報を割り当てておき、受信者がその関連情報に対応するホームページを閲覧した場合には、その識別情報に対応する閲覧回数をクライアントコンピューターに蓄積しておく。そして、その閲覧回数を解析サーバーコンピューター１４に送信することによって、そのユーザーに対して電子メールの送受信に伴う課金の減額処理を行うようにしてもよい。この際、閲覧回数を解析サーバーコンピューター１４に個別に送信すると、さらに送信のための料金が必要となるため、このクライアントコンピューター１１、１２から第三者に電子メールを送信する際、一緒にその識別情報と閲覧回数を載せて送信することもできる。
【００４６】
また、このように閲覧履歴を蓄積する場合、解析サーバーコンピューター１４に各ユーザーによる閲覧履歴の集計をとっておき、これを関連情報の添付の選択に役立てることもできる。例えば、メッセージの内容から複数の関連情報が抽出された場合、最も閲覧履歴の高い関連情報から順に添付するようにしてもよい。このようにすれば、ユーザーとしても役立つホームページを直ぐに見ることができるようになる。
【００４７】
さらに、上記実施の形態では、携帯電話で送受信される電子メールにアイコンを添付するようにしたが、もちろん、ノートパソコンやデスクトップパソコンなどのコンピューターで送受信される電子メールにアイコンや広告情報そのものを添付するようにしてもよい。
【００４８】
また、上記実施の形態では、電子メールに関連情報を添付して表示させるようにしたが、チャットやグリーティングカードでメッセージを送受信する場合は、これに関連して関連情報を表示させるようにしてもよい。
【図面の簡単な説明】
【００４９】
【図１】本発明の一実施の形態における関連情報送信システムの概要を示す図
【図２】同形態における関連情報送信システムの機能ブロックを示す図
【図３】同形態における送信者側の第一クライアントコンピューターの電子メールの内容を示す図
【図４】同形態における解析サーバーコンピューターに記憶されたキーワードと関連情報を示す図
【図５】同形態における受信者側の第二クライアントコンピューターに表示された電子メールを示す図
【図６】同形態における関連情報送信システムの処理の流れを示すフローチャート
【図７】第二の実施の形態における第一クライアントコンピューターの送信処理を示す図
【図８】第二の実施の形態における第一クライアントコンピューターの電子メールの表示例を示す図
【符号の説明】
【００５０】
１・・・関連情報送信システム
１１・・・第一クライアントコンピューター
１２・・・第二クライアントコンピューター
１３・・・ＳＭＴＰサーバー
１４・・・解析サーバーコンピューター
１５・・・ＰＯＰサーバー
２１・・・送信情報入力手段
２２・・・送信手段
２３・・・解析手段
２４・・・添付手段
２５・・・記憶部
２６・・・受信手段
２７・・・メール表示手段
２８・・・関連情報表示手段
【図１】
2008276355.tif 000003
【図２】
2008276355.tif 000004
【図３】
2008276355.tif 000005
【図４】
2008276355.tif 000006
【図５】
2008276355.tif 000007
【図６】
2008276355.tif 000008
【図７】
2008276355.tif 000009
【図８】
2008276355.tif 000010